Podtech/llm-jp-corpus-v4-ja_patent huggingface dataset:
【手続補正書】
【提出日】平成26年7月23日(2014.7.23)
【手続補正１】
【補正対象書類名】特許請求の範囲
【補正対象項目名】全文
【補正方法】変更
【補正の内容】
【特許請求の範囲】
【請求項１】
０．３〜６．０μｍの大きさを有し、ＣＤ９＋である、単離された体性幹細胞。
【請求項２】
該単離された体性幹細胞が多能性であるまたは全能性である、請求項１に記載の単離された体性幹細胞。
【請求項３】
前記細胞がヒト細胞である、請求項１または２に記載の単離された体性幹細胞。
【請求項４】
前記細胞が非接着性である、請求項１〜３のいずれか１項に記載の単離された体性幹細胞。
【請求項５】
前記細胞がＣＤ９＋ＣＤ３４９＋である、請求項１〜４のいずれか１項に記載の単離された体性幹細胞。
【請求項６】
０．３〜６．０μｍの大きさを有し、ＳＳＥＡ１＋、ＳＳＥＡ４＋、ＣＤ１３＋、またはＳｔｒｏ１＋である、単離された体性幹細胞。
【請求項７】
該単離された体性幹細胞が多能性であるまたは全能性である、請求項６に記載の単離された体性幹細胞。
【請求項８】
前記細胞がヒト細胞である、請求項６または７に記載の単離された体性幹細胞。
【請求項９】
前記細胞が非接着性である、請求項６〜８のいずれか１項に記載の単離された体性幹細胞。
【請求項１０】
被検者から複数の細胞を含む体液サンプルを得、
前記サンプルが上層及び下層に分かれるまで前記サンプルを容器中でＥＤＴＡまたはヘパリンとインキュベートし、
上層を収集し、さらに
前記上層から０．３〜６．０μｍの大きさを有する体性幹細胞の集団を単離する
ことを有する、体性幹細胞の集団の調製方法。
【請求項１１】
前記体液サンプルが血液または骨髄サンプルである、請求項１０に記載の方法。
【請求項１２】
前記被検者がヒトである、請求項１０または１１に記載の方法。
【請求項１３】
前記単離が遠心、フローサイトメトリー、または濾過によって行われる、請求項１０〜１２のいずれか１項に記載の方法。
【請求項１４】
前記収集後、前記収集後前記上層をＡＤＰとインキュベートすることをさらに有する、請求項１０〜１３のいずれか１項に記載の方法。
【請求項１５】
前記インキュベートが、前記サンプルをヘパリンとインキュベートし、前記収集後であって前記単離前に、収集された上層をさらにＥＤＴＡとインキュベートすることによって、行われる、請求項１０〜１４のいずれか１項に記載の方法。
【請求項１６】
請求項１０〜１５のいずれか１項に記載の方法によって調製される体性幹細胞の集団。
【請求項１７】
前記体性幹細胞がＣＤ９＋である、請求項１６に記載の集団。
【請求項１８】
前記体性幹細胞がＣＤ９＋ＣＤ３４９＋である、請求項１７に記載の集団。
【請求項１９】
前記体性幹細胞がＳＳＥＡ１＋、ＳＳＥＡ４＋、ＣＤ１３＋、またはＳｔｒｏ１＋である、請求項１６に記載の集団。
【請求項２０】
前記集団が被検者から得られた血液または骨髄サンプル中に存在する、請求項１６〜１９のいずれか１項に記載の集団。
【請求項２１】
前記被検者がヒトである、請求項１６〜２０のいずれか１項に記載の集団。
【請求項２２】
前記体性幹細胞が非接着性である、請求項１６〜２１のいずれか１項に記載の集団。
【請求項２３】
請求項１０〜１５のいずれか１項に記載の方法によって異なる被検者の血液または骨髄サンプルから調製される複数の体性幹細胞の集団を有する細胞バンク。
【請求項２４】
２価カチオンキレート剤をサンプルに添加し、さらに
サンプル中の幹細胞を前記２価カチオンキレート剤とインキュベートする
ことを有する、サンプルに含まれる幹細胞の数の増加方法。
【請求項２５】
前記２価カチオンキレート剤がＥＤＴＡまたはＥＧＴＡである、請求項２４に記載の方法。
【請求項２６】
前記幹細胞が０．３〜６．０μｍの大きさを有する、請求項２４または２５に記載の方法。
【請求項２７】
前記幹細胞がＣＤ９＋である、請求項２６に記載の方法。
【請求項２８】
請求項１０〜１５のいずれか１項に記載の方法によって、被検者から、それぞれが０．３〜６．０μｍの大きさを有する、体性幹細胞の集団を得、さらに
前記体性幹細胞の数を測定する
ことを有する、加齢に関連する疾患(ageing-related disorder)または癌を有する危険性に関する被検者の評価方法であって、
前記被検者は、前記数が第一の所定の値未満であると前記疾患を有する危険性があるとまたは前記数が第二の所定の値を超えると癌を有する危険性があると決定される、方法。
【請求項２９】
前記体性幹細胞がＣＤ９＋、ＣＤ３４９＋、ＳＳＥＡ１＋、ＳＳＥＡ４＋、ＣＤ１３＋、またはＳｔｒｏ１＋である、請求項２８に記載の方法。
【請求項３０】
ヘパリンをインキュベート工程で使用して、体性幹細胞の集団を得る、請求項２８または２９に記載の方法。
【請求項３１】
前記加齢に関連する疾患が、自己修復欠損症(self-repair defect)、変性疾患、自己免疫疾患、心血管疾患、または糖尿病である、請求項２８〜３０のいずれか１項に記載の方法。
【請求項３２】
請求項１０〜１５のいずれか１項に記載の方法によって調製される体性幹細胞を含む、被検者における体性幹細胞の数の増加のための薬剤。
【請求項３３】
請求項１０〜１５のいずれか１項に記載の方法によって調製される体性幹細胞を含む、筋損傷疾患(muscle injury disease)または筋肉変性疾患(muscle-degenerative disease)の治療のための薬剤。
【請求項３４】
前記筋肉変性疾患(muscle-degenerative disease)が、筋ジストロフィー、線維筋痛、ミオパシー、皮膚筋炎、多発性筋炎、横紋筋融解症、または心筋炎である、請求項３３に記載の薬剤。
【手続補正書】
【提出日】平成26年8月11日(2014.8.11)
【手続補正１】
【補正対象書類名】特許請求の範囲
【補正対象項目名】全文
【補正方法】変更
【補正の内容】
【特許請求の範囲】
【請求項１】
以下の工程を含む、単球の培養によって未成熟樹状細胞を産生する方法:
ヘパリン及びタンパク質溶液を含む前処理培地による組織培養表面の前処理;
血清を含まない吸着培地を使用する単球の吸着;及び
血清を含まない培養培地を使用する単球の培養。
【請求項２】
当該タンパク質溶液がヒト血清を含む、請求項1に記載の方法。
【請求項３】
当該ヒト血清が2から10％の濃度を有する、請求項2に記載の方法。
【請求項４】
当該前処理培地が10から200U/mLのヘパリン濃度を有する、請求項1から3のいずれか1項に記載の方法。
【請求項５】
前記前処理培地が25から100U/mLのヘパリン濃度を有する、請求項4に記載の方法。
【請求項６】
請求項1から5のいずれか1項に記載の方法に従って産生される未成熟樹状細胞を含む組成物。
【請求項７】
直接腫瘍に注射可能である、請求項6に記載の組成物。
【請求項８】
請求項1から5のいずれか1項の方法に従って産生された未成熟樹状細胞を含む、免疫療法によって癌を処置するための医薬品組成物。
【請求項９】
請求項1から5のいずれか1項の方法に従って産生された未成熟樹状細胞を含む、癌を処置又は予防するためのワクチン。
【請求項１０】
腫瘍に直接注射されるための、請求項9に記載のワクチン。
【請求項１１】
免疫療法によって癌を処置するための、請求項1から5のいずれか1項に記載の方法に従って産生された未成熟樹状細胞を含む組成物。
【請求項１２】
請求項1から5のいずれか1項に記載の方法に従って産生された未成熟樹状細胞から産生された抗原提示組成物。
【請求項１３】
生体外において、T細胞リンパ球を活性化するために請求項12に記載の抗原提示組成物を使用し、それによって、腫瘍特異的CD8+細胞傷害性Tリンパ球を含有する細胞傷害性組成物を取得することを含む、細胞傷害性組成物の調製方法。
【請求項１４】
腫瘍に対する免疫応答を刺激することによって癌を処置するための、請求項12に記載の抗原提示組成物。
【請求項１５】
請求項13に記載の方法に従って調製された、養子T細胞療法による癌の処置のための細胞傷害性組成物。
【請求項１６】
請求項6に記載の組成物の、生体外における細胞傷害性Tリンパ球の活性化のための抗原提示細胞としての使用。
【請求項１７】
請求項13に記載の方法によって取得された腫瘍特異的CD8+細胞傷害性Tリンパ球を含む、養子T細胞免疫療法のための医薬品組成物。
【手続補正書】
【提出日】平成26年8月4日(2014.8.4)
【手続補正１】
【補正対象書類名】特許請求の範囲
【補正対象項目名】全文
【補正方法】変更
【補正の内容】
【特許請求の範囲】
【請求項１】
トリ対象または集団における伝染性喉頭気管炎ウイルス（ＩＬＴＶ）の感染を予防する方法であって、１羽以上の対象に糖タンパク質Ｊの発現を阻害する糖タンパク質Ｊの変異を含む弱毒化伝染性喉頭気管炎ウイルス（ＩＬＴＶ）を投与することを含み、前記弱毒化ＩＬＴＶが卵内投与される、方法。
【請求項２】
前記弱毒化ＩＬＴＶは、ＵＳＤＡチャレンジ株ＵＳＤＡ−ｃｈを含む、請求項１に記載の方法。
【請求項３】
前記変異は、糖タンパク質Ｊのプロモーターエレメントの変異を含み、前記変異は、前記プロモーターエレメントの機能を阻害する、請求項１に記載の方法。
【請求項４】
前記変異は、糖タンパク質Ｊのヌクレオチド配列の欠失を含む、請求項１に記載の方法。
【請求項５】
前記変異は、配列番号１の完全なまたは部分的な欠失を含む、請求項４に記載の方法。
【請求項６】
前記変異は、配列番号１のヌクレオチド１〜２２９１の欠失を含む、請求項５に記載の方法。
【請求項７】
レポータータンパク質発現カセットが、前記欠失点に挿入される、請求項４に記載の方法。
【請求項８】
ウイルスタンパク質発現カセットが、前記欠失点に挿入される、請求項４に記載の方法。
【請求項９】
前記ウイルスタンパク質発現カセットは、ニューカッスル病ウイルスの融合タンパク質（Ｆ）である、請求項８に記載の方法。
【請求項１０】
前記変異は、配列番号１のヌクレオチド１〜２１８８の欠失を含む、請求項５に記載の方法。
【請求項１１】
前記変異は、配列番号１の少なくともヌクレオチド１〜１４５の欠失を含む、請求項５に記載の方法。
【請求項１２】
前記欠失は、配列番号１のヌクレオチド２１８５〜２１９０を含む、請求項５に記載の方法。
【請求項１３】
前記変異は、前記糖タンパク質Ｊのヌクレオチド配列の置換を含む、請求項１に記載の方法。
【請求項１４】
前記置換は、再編成されたＩＬＴＶ配列を含む、請求項１３に記載の方法。
【請求項１５】
糖タンパク質Ｊの変異を含む組換え伝染性喉頭気管炎ウイルスゲノムであって、前記変異は、配列番号１のヌクレオチド１〜２２９１の欠失である、ゲノム。
【請求項１６】
糖タンパク質Ｊの変異を含む組換え伝染性喉頭気管炎ウイルスゲノムであって、前記変異は、配列番号１の少なくともヌクレオチド１〜１４５及び／又は配列番号１のヌクレオチド２１８５〜２１９０の欠失である、ゲノム。
【請求項１７】
糖タンパク質Ｊの遺伝子に部分的または完全な欠失を有する組換え伝染性喉頭気管炎ウイルスゲノムを含む卵内ワクチン製剤。
【請求項１８】
糖タンパク質Ｊの変異を含む弱毒化伝染性喉頭気管炎ウイルス（ＩＬＴＶ）を含む組成物であって、前記変異は、糖タンパク質Ｊの発現を阻害し、前記変異は、前記糖タンパク質Ｊのヌクレオチド配列の置換又は糖タンパク質Ｊのヌクレオチド配列の欠失を含み、レポーター又はウイルスタンパク質発現カセットが、前記欠失点に挿入される、組成物。
【請求項１９】
前記変異は、配列番号１の完全なまたは部分的な欠失である、請求項１８に記載の組成物。
【請求項２０】
前記置換は、再編成されたＩＬＴＶ配列を含む、請求項１８に記載の組成物。
【請求項２１】
前記変異は、配列番号１のヌクレオチド１〜２２９１の欠失を含む、請求項１８に記載の組成物。
【請求項２２】
前記変異は、配列番号１のヌクレオチド１〜２１８８の欠失を含む、請求項１８に記載の組成物。
【請求項２３】
前記欠失は、配列番号１のヌクレオチド２１８５〜２１９０を含む、請求項１８に記載の組成物。
【手続補正書】
【提出日】平成26年8月14日(2014.8.14)
【手続補正１】
【補正対象書類名】特許請求の範囲
【補正対象項目名】全文
【補正方法】変更
【補正の内容】
【特許請求の範囲】
【請求項１】
受入番号ＣＥＣＴ７４８１の下にスペイン・タイプ・カルチャー・コレクション（ＣＥＣＴ）において寄託されたラクトバチルス・プランタラム(Lactobacillus plantarum)株および／またはその変異体もしくは誘導体であって、該変異体もしくは誘導体は、出発物質として寄託された株ＣＥＣＴ７４８１を使用することにより、変異誘発または再単離技術により得られ、該変異体もしくは誘導体は、出発物質として使用された寄託された株と少なくとも同程度で、口腔ストレス状態に対して生存し、口腔組織に付着し、凝集物を形成し、口腔病原体を阻害する能力を保持する変異体または誘導体、および／または、
受入番号ＣＥＣＴ７４８０の下にスペイン・タイプ・カルチャー・コレクション（ＣＥＣＴ）において寄託されたラクトバチルス・ブレビス(Lactobacillus brevis)株および／またはその変異体もしくは誘導体であって、該変異体もしくは誘導体は、出発物質として寄託された株ＣＥＣＴ７４８０を使用することにより、変異誘発または再単離技術により得られ、該変異体もしくは誘導体は、出発物質として使用された寄託された株と少なくとも同程度で、口腔ストレス状態に対して生存し、口腔組織に付着し、凝集物を形成し、口腔病原体を阻害する能力を保持する変異体または誘導体を含む組成物。
【請求項２】
医薬としての使用のための、請求項１に記載の組成物。
【請求項３】
ヒトを含む動物において口腔病原体により引き起こされる口腔における障害の予防および／または処置における使用のための、請求項２に記載の組成物。
【請求項４】
口腔における障害が歯垢関連障害である、請求項３に記載の組成物。
【請求項５】
歯垢関連障害が、歯肉炎、歯周炎、齲蝕または知覚過敏である、請求項４に記載の組成物。
【請求項６】
口腔における障害が口臭である、請求項３に記載の組成物。
【請求項７】
口腔における障害がカンジダ症である、請求項３に記載の組成物。
【請求項８】
請求項１−７のいずれかに記載の組成物および少なくとも１つの薬学的に許容される賦形剤を含む医薬組成物。
【請求項９】
請求項１−８のいずれかに記載の組成物を含むプロバイオティック(probiotic)製品。
【請求項１０】
請求項１−８のいずれかに記載の組成物および少なくとも１つの食用成分を含む食用製品。
【請求項１１】
栄養補助食品である、請求項１０に記載の食用製品、請求項１−８のいずれかに記載の組成物または請求項９に記載のプロバイオティック製品。
【請求項１２】
請求項１−８のいずれかに記載の組成物および少なくとも１つの美容上許容される賦形剤を含む美容用組成物。
【請求項１３】
有効量の、請求項１−８のいずれかに記載の組成物または請求項１２に記載の美容用組成物を含む、口腔ケア製品。
【請求項１４】
チューインガム、練り歯磨き、マウススプレー(mouth spray)、ロゼンジまたは口腔分散性錠剤である、請求項１３に記載の口腔ケア製品。
【請求項１５】
受入番号ＣＥＣＴ７４８１の下にスペイン・タイプ・カルチャー・コレクション（ＣＥＣＴ）において寄託されたラクトバチルス・プランタラム株および／またはその変異体もしくは誘導体であって、該変異体もしくは誘導体は、出発物質として寄託された株ＣＥＣＴ７４８１を使用することにより、変異誘発または再単離技術により得られ、該変異体もしくは誘導体は、出発物質として使用された寄託された株と少なくとも同程度で、口腔ストレス状態に対して生存し、口腔組織に付着し、凝集物を形成し、口腔病原体を阻害する能力を保持する変異体または誘導体。
【請求項１６】
受入番号ＣＥＣＴ７４８０の下にスペイン・タイプ・カルチャー・コレクション（ＣＥＣＴ）において寄託されたラクトバチルス・ブレビス株および／またはその変異体もしくは誘導体であって、該変異体もしくは誘導体は、出発物質として寄託された株ＣＥＣＴ７４８０を使用することにより、変異誘発または再単離技術により得られ、該変異体もしくは誘導体は、出発物質として使用された寄託された株と少なくとも同程度で、口腔ストレス状態に対して生存し、口腔組織に付着し、凝集物を形成し、口腔病原体を阻害する能力を保持する変異体または誘導体。
【請求項１７】
出発物質としてラクトバチルス・プランタラムＣＥＣＴ７４８１またはラクトバチルス・ブレビスＣＥＣＴ７４８０を使用すること、および、変異誘発または再単離技術を適用することを含む、ラクトバチルス・プランタラムＣＥＣＴ７４８１またはラクトバチルス・ブレビスＣＥＣＴ７４８０の変異体または誘導体を得るための方法であって、該得られた変異体または誘導体は、出発物質として使用された寄託された株の、口腔ストレス状態に対して生存し、口腔組織に付着し、凝集物を形成し、口腔病原体を阻害する能力を少なくとも保持する、方法。
【手続補正書】
【提出日】平成26年7月9日(2014.7.9)
【手続補正１】
【補正対象書類名】特許請求の範囲
【補正対象項目名】全文
【補正方法】変更
【補正の内容】
【特許請求の範囲】
【請求項１】
高磁場内に配される患者から生理学的データを記録するためのレコーダ装置において、
前記高磁場内に配される患者からの前記生理学的データを印刷するための印刷組立体、及び
前記高磁場内にいる患者からの生理学的データが印刷されるように、用紙を前記印刷組立体に送り込むように構成される、前記高磁場内に配される圧電モータ
を有するレコーダ装置。
【請求項２】
前記印刷組立体は、前記生理学的データを印刷する印刷ヘッド、及び用紙を前記印刷ヘッドに通すローラプラテンを含み、並びに
前記圧電モータは、前記ローラプラテンを回転させ、用紙を前記印刷ヘッドに通すために、前記印刷組立体に動作可能なように結合されている、
請求項１に記載のレコーダ装置。
【請求項３】
クロック信号に基づいて電気機械式のステッピングモータの駆動信号を生成するように構成される一次制御盤、
前記一次制御盤から前記ステッピングモータの駆動信号を受信し、前記圧電モータを駆動させる圧電モータの駆動信号を生成するために、前記一次制御盤及び前記圧電モータに動作可能なように接続される二次制御盤
をさらに有する請求項１又は２に記載のレコーダ装置。
【請求項４】
前記電気機械式のステッピングモータの駆動信号は、前記用紙を事前に選択した速度で送るように構成され、前記二次制御盤は、前記電気機械式のステッピングモータの駆動信号を、前記用紙を事前に選択した速度で送るように前記圧電モータを駆動させる圧電駆動信号に再構成する、請求項３に記載のレコーダ装置。
【請求項５】
前記二次制御盤は、前記圧電モータ信号の振幅を増大させる、当該二次制御盤に電気結合される電源を含む請求項３又は４に記載のレコーダ装置。
【請求項６】
前記二次制御盤は、外部電源を前記圧電モータに結合することなく、直接前記圧電モータを駆動させるように構成される請求項３乃至５の何れか一項に記載のレコーダ装置。
【請求項７】
圧電モータの駆動信号の約２７０００個のパルスが７．５度の回転運動を作り出す、請求項３乃至５の何れか一項に記載のレコーダ装置。
【請求項８】
前記高磁場内に配される患者からの生理学的データを表示する前記印刷組立体に動作可能なように接続されるモニタをさらに有する請求項１乃至７の何れか一項に記載のレコーダ装置。
【請求項９】
前記印刷組立体はサーマル印刷ヘッドを含んでいる請求項１乃至８の何れか一項に記載のレコーダ装置。
【請求項１０】
前記印刷組立体は、前記圧電モータにより動作するピニオンから、用紙を前記印刷組立体に送り込むローラプラテンに運動を移送するように構成される遊動輪を含む、請求項１乃至９の何れか一項に記載のレコーダ装置。
【請求項１１】
前記圧電モータは、ピニオンを回転させるように構成される回転型の圧電モータを含み、前記ピニオンは、プラテンローラのピニオンを介してローラプラテンに機械的に結合されている、請求項１乃至１０の何れか一項に記載のレコーダ装置。
【請求項１２】
患者の検査領域に静磁場Ｂ０を発生させる主磁石、
前記静磁場に勾配磁場を加える勾配コイル、
磁気共鳴を誘発及び操作するための無線周波数場を印加する無線周波数コイル、
前記勾配コイル及び前記無線周波数コイルを制御して、前記検査領域内に置かれる患者から共鳴情報を取得する制御器、並びに
前記検査領域内に置かれる患者からの生理学的データを印刷するために、前記検査領域内に又はその近傍に置かれる、請求項１乃至１１の何れか一項に記載のレコーダ装置
を有するＭＲＩシステム。
【請求項１３】
高磁場内に置かれる患者からの生理学的データの印刷を生じさせるための方法において、
前記高磁場内にいる患者からの前記生理学的データを監視するステップ、
用紙を印刷ヘッドに通すために、前記高磁場内に置かれる圧電モータを制御するステップ、及び
前記印刷ヘッドを用いて、前記監視される生理学的データを用紙に印刷するステップ
を有する方法。
【請求項１４】
クロック信号に基づいて、機械式のステッピングモータの駆動信号を生成するステップ、及び
前記機械式のステッピングモータの駆動信号から、前記圧電モータを駆動させる圧電モータの駆動信号を生成するステップ
をさらに有する請求項１３に記載の方法。
【請求項１５】
前記圧電モータの駆動信号を生成するステップは、前記ステッピングモータの駆動信号に基づいて、既定の回数及び既定の率で供給される圧電励起周波数で多数のパルスを生成するステップを有する、請求項１３又は１４に記載の方法。
【請求項１６】
圧電励起駆動信号の約２７０００個のパルスは、７．５度の回転運動を作り出す、請求項１５に記載の方法。
【請求項１７】
前記圧電モータを用いて、用紙を前記監視される生理学的データを印刷する前記印刷ヘッドに通すプラテンローラのピニオンを介してローラプラテンに機械的に結合されているステッピングモータのピニオンを回転させるステップをさらに含んでいる、請求項１３乃至１６の何れか一項に記載の方法。
【請求項１８】
前記生理学的データは、患者のＭＲスキャン中に監視及び印刷される、請求項１３乃至１７の何れか一項に記載の方法。
【請求項１９】
患者を通る静磁場を発生させるステップ、
前記静磁場に勾配磁場を加えるステップ、
前記患者に無線周波数場を誘発させるステップ、
前記患者から磁気共鳴情報を取得するステップ、及び
前記患者からの生理学的データの印刷を生じさせるために、請求項１３乃至１８の何れか一項に記載の方法を実行するステップ
を有するＭＲＩシステムを動作させるための方法。
【手続補正書】
【提出日】平成26年6月5日(2014.6.5)
【手続補正１】
【補正対象書類名】特許請求の範囲
【補正対象項目名】全文
【補正方法】変更
【補正の内容】
【特許請求の範囲】
【請求項１】
床等の平らな面で使用され、また階段でも使用される掃除機において、
前記掃除機が階段の２つまたはそれ以上の段板にまたがることを可能にする湾曲した下部構造を有する本体と、
複数の回転式床係合部材とを含み、
前記掃除機が前部に回転式の階段蹴上げ係合部材を含み、かつ／または、前記床係合部材の少なくとも１つが、ロック解除して前後の両方向への回転を可能にするか、前方向だけの移動にロックできることを特徴とする掃除機。
【請求項２】
請求項１に記載の掃除機において、
前記回転式床係合部材の少なくとも１つが、前記掃除機の前部に配置されていることを特徴とする掃除機。
【請求項３】
請求項１に記載の掃除機において、
前記回転式床係合部材の１つまたは複数が、前記回転式床係合部材の１つまたは複数の中に組み込まれた機構によって、ロック解除またはロックできることを特徴とする掃除機。
【請求項４】
請求項１に記載の掃除機において、
前記回転式床係合部材が、前記床係合部材の１つまたは複数の中に組み込まれたアクチュエータを含む機構によって、ロック解除またはロックできることを特徴とする掃除機。
【請求項５】
請求項１に記載の掃除機において、
前記回転式床係合部材の１つまたは複数が、前記掃除機の本体の中に組み込まれた機構によって、ロック解除またはロックできることを特徴とする掃除機。
【請求項６】
請求項１に記載の掃除機において、
前記回転式床係合部材の１つまたは複数が、前記掃除機の本体に組み込まれたアクチュエータを含む機構によって、ロック解除またはロックできることを特徴とする掃除機。
【請求項７】
請求項１に記載の掃除機において、
前記掃除機が、前記掃除機の踏み面の上昇を助けるために、前記掃除機の最前点に追加の回転式の階段蹴上げ係合部材を有することを特徴とする掃除機。
【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
ヒトカンナビノイド受容体に対する活性化増強型抗体を含むことを特徴とする医薬組成物。
【請求項２】
ヒトカンナビノイド受容体が、カンナビノイド受容体１（ＣＢ１）である請求項１に記載の医薬組成物。
【請求項３】
活性化増強型抗体が、ヒトカンナビノイド受容体１全体に対するものである請求項２に記載の医薬組成物。
【請求項４】
ヒトカンナビノイド受容体１全体が、配列番号１で提供される配列からなる請求項３に記載の医薬組成物。
【請求項５】
活性化増強型抗体が、ヒトカンナビノイド受容体１のポリペプチド断片に対するものである請求項２に記載の医薬組成物。
【請求項６】
ヒトカンナビノイド受容体１のポリペプチド断片が、配列番号３〜１６で提供される配列からなる群から選択される請求項５に記載の医薬組成物。
【請求項７】
活性化増強型抗体が、Ｃ１２、Ｃ３０、及びＣ２００のホメオパシー希釈物の混合物の形態である請求項１に記載の医薬組成物。
【請求項８】
活性化増強型抗体が、固体担体に浸透させたＣ１２、Ｃ３０、及びＣ２００のホメオパシー希釈物の混合物の形態である請求項１に記載の医薬組成物。
【請求項９】
肥満及び関連する代謝障害の治療に使用するための請求項１から８のいずれかに記載の医薬組成物。
【請求項１０】
医薬組成物が、１つ又は２つの単位剤形として１日１回から１日４回、患者に投与される請求項９に記載の医薬組成物。
【請求項１１】
剤形が、１日２回投与される請求項１０に記載の医薬組成物。
【請求項１２】
変更から利益を受けることが予想される哺乳動物の身体計測パラメータの変更に使用するための請求項１から８のいずれかに記載の医薬組成物。
【請求項１３】
身体計測パラメータが、ウエスト周囲径である請求項１２に記載の医薬組成物。
【請求項１４】
身体計測パラメータが、ウエスト対身長比である請求項１２に記載の医薬組成物。
【請求項１５】
身体計測パラメータが、ウエスト対ヒップ比である請求項１２に記載の医薬組成物。
【請求項１６】
哺乳動物の体重の減少に使用するための請求項１から８のいずれかに記載の医薬組成物。
【請求項１７】
哺乳動物の体重増加の減少に使用するための請求項１から８のいずれかに記載の医薬組成物。
【請求項１８】
摂食量の減少から利益を受けることが予想される哺乳動物の摂食量の減少の促進に使用するための請求項１から８のいずれかに記載の医薬組成物。
【請求項１９】
Ｓ−１００タンパク質に対する活性化増強型抗体を更に含む請求項１から８のいずれかに記載の医薬組成物。
【請求項２０】
Ｓ−１００タンパク質に対する抗体が、Ｓ−１００タンパク質全体に対する抗体である請求項１９に記載の医薬組成物。
【請求項２１】
Ｓ−１００タンパク質全体が、配列番号１７で提供される配列からなる請求項２０に記載の医薬組成物。
【請求項２２】
Ｓ−１００タンパク質に対する抗体が、固体担体に浸透させたＣ１２、Ｃ３０、及びＣ２００のホメオパシー希釈物の混合物の形態である請求項１９に記載の医薬組成物。
【請求項２３】
各活性化増強型抗体が、希釈するごとに振とうしながら連続的に１００倍希釈することにより調製される請求項１から２２のいずれかに記載の医薬組成物。
【請求項２４】
精神活性物質依存に苦しんでいる患者に使用するための請求項１９から２２のいずれかに記載の医薬組成物。
【請求項２５】
精神活性物質が、ニコチンである請求項２４に記載の医薬組成物。
【請求項２６】
組み合わせの投与が、ＭＰＳＳ試験のデータの分析によって測定される、禁煙に耐える能力の統計的に有意な改善をもたらす請求項２５に記載の医薬組成物。
【請求項２７】
組み合わせの投与が、ニコチン依存度試験のためのファガストローム試験によって測定される、中等度ニコチン依存患者における喫煙の統計的に有意な減少をもたらす請求項２５に記載の医薬組成物。
【請求項２８】
精神活性物質依存に苦しんでいる患者の治療に使用するための医薬組成物であって、ホメオパシーの技術に従って、連続して繰り返し希釈し、得られた溶液をそれぞれ多数回垂直方向に振とうすることによってそれぞれ調製される、ａ）ヒトカンナビノイド受容体に対する抗体の増強溶液、及びｂ）Ｓ−１００タンパク質に対する活性化増強型抗体の増強溶液を提供し、次いで、前記増強溶液を混合することによって組み合わせるか、或いは、担体塊に組み合わせた前記溶液を浸透させる又は別々に前記溶液を浸透させることによって得られたことを特徴とする医薬組成物。
【請求項２９】
ホメオパシーの技術に従って、連続して繰り返し希釈し、得られた溶液を多数回垂直方向に振とうすることによって調製される請求項１から１５のいずれかに記載の医薬組成物。
【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
比率１：１のジクロフェナク‐トラマドール塩の化合物。
【請求項２】
結晶性形態である、請求項１に記載の化合物。
【請求項３】
約１１．０°、１９．０°、２０．５°及び２０．８°±０．２°２θで、Ｘ線回折ピークを有する、粉末Ｘ線回折パターンにより特徴付けられる、請求項２に記載の化合物。
【請求項４】
以下のステップ：
第一溶液を形成するために第一溶媒中にジクロフェナク遊離酸を溶解し、
第二溶液を形成するために第二溶媒中にトラマドールを溶解し、
混合物を形成するために前記第一溶液と前記第二溶液とを混合し、及び
医薬化合物を形成するために前記混合物から前記第一溶媒と前記第二溶媒を除去する
ことを含む、請求項１に記載の化合物の調製方法。
【請求項５】
前記溶媒が自然蒸発、真空濃縮、又は窒素下での乾燥により除去される、請求項４に記載の方法。
【請求項６】
前記第一溶媒及び前記第二溶媒が、ジクロロメタン、酢酸エチル、メタノール、エタノール、イソプロピルアルコール、アセトン、トルエン、クロロホルム、ジメチルホルムアミド、ジメチルアセトアミド、ジメチルスルホキシド、塩化メチレン、及びアセトニトリルからなる群から選択される、請求項４に記載の方法。
【請求項７】
以下のステップ：
溶媒又は溶媒混合物中にジクロフェナク遊離酸及びトラマドールを溶解し、及び
前記化合物を形成するために前記溶媒又は前記溶媒混合物を除去する
ことを含む、請求項１に記載の化合物の製造方法。
【請求項８】
前記溶媒又は前記溶媒混合物が、自然蒸発、真空濃縮、又は窒素下での乾燥により除去される、請求項４に記載の方法。
【請求項９】
前記溶媒又は前記溶媒混合物が、ジクロロメタン、エチルアセテート、メタノール、エタノール、イソプロピルアルコール、アセトン、トルエン、クロロホルム、ジメチルホルムアミド、ジメチルアセトアミド、ジメチルスルホキシド、塩化メチレン、アセトニトリル、及びそれらの組み合わせからなる群から選択される、請求項７に記載の方法。
【請求項１０】
請求項１に記載の化合物及び医薬的に許容される担体を含む医薬製剤。
【請求項１１】
請求項１〜３のいずれか１項に記載の化合物を含む製剤であって、疼痛段階５‐９を有する、中等度からやや重度の疼痛に苦しむ患者を処置するための、製剤。
【請求項１２】
前記疼痛が、疼痛段階８‐９を有する、やや重度の疼痛である、請求項１１に記載の製剤。
【請求項１３】
前記疼痛が、帝王切開後の術後疼痛、非帝王切開手術後の術後疼痛、がん性疼痛、変形性関節症痛、又は関節リウマチ痛である、請求項１１に記載の製剤。
【請求項１４】
前記疼痛が帝王切開後又は非帝王切開手術後の術後疼痛であり、及び前記製剤が筋肉内注射により投与される、請求項１３に記載の製剤。
【請求項１５】
前記疼痛ががん性疼痛であり、及び前記製剤が経口投与される、請求項１３に記載の製剤。
【請求項１６】
前記疼痛が変形性関節症痛又は関節リウマチ痛であり、及び前記製剤が経口投与又は局所投与により投与される、請求項１３に記載の製剤。
【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
アルツハイマー病に罹っている患者の治療に使用するための医薬組成物であって、ａ）脳特異的タンパク質Ｓ−１００に対する活性化増強型抗体及びｂ）内皮ＮＯ合成酵素に対する活性化増強型抗体を含むことを特徴とする医薬組成物。
【請求項２】
脳特異的タンパク質Ｓ−１００に対する活性化増強型抗体が、ウシの脳特異的タンパク質Ｓ−１００全体に対する活性化増強型抗体である請求項１に記載の医薬組成物。
【請求項３】
脳特異的タンパク質Ｓ−１００に対する活性化増強型抗体が、配列番号９、配列番号１０、配列番号１１、又は配列番号１２を有する脳特異的タンパク質Ｓ−１００に対する活性化増強型抗体である請求項１に記載の医薬組成物。
【請求項４】
内皮ＮＯ合成酵素に対する活性化増強型抗体が、ウシＮＯ合成酵素全体に対する活性化増強型抗体である請求項１に記載の医薬組成物。
【請求項５】
内皮ＮＯ合成酵素に対する活性化増強型抗体が、ヒトＮＯ合成酵素全体に対する活性化増強型抗体である請求項１に記載の医薬組成物。
【請求項６】
脳特異的タンパク質Ｓ−１００に対する活性化増強型抗体が、固体担体に浸透させたＣ１２、Ｃ３０、及びＣ５０ホメオパシー希釈物の混合物の形態であり、且つ内皮ＮＯ合成酵素に対する活性化増強型抗体が、前記固体担体に浸透させたＣ１２、Ｃ３０、及びＣ５０ホメオパシー希釈物の混合物の形態である請求項１に記載の医薬組成物。
【請求項７】
脳特異的タンパク質Ｓ−１００に対する活性化増強型抗体が、固体担体に浸透させたＣ１２、Ｃ３０、及びＣ２００ホメオパシー希釈物の混合物の形態であり、且つ内皮ＮＯ合成酵素に対する活性化増強型抗体が、前記固体担体に浸透させたＣ１２、Ｃ３０、及びＣ２００ホメオパシー希釈物の混合物の形態である請求項１に記載の医薬組成物。
【請求項８】
内皮ＮＯ合成酵素に対する活性化増強型抗体が、固体担体に浸透させたＣ１２、Ｃ３０、及びＣ５０ホメオパシー希釈物の混合物の形態であり、且つ脳特異的タンパク質Ｓ−１００に対する活性化増強型抗体が、前記固体担体に浸透させたＣ１２、Ｃ３０、及びＣ５０ホメオパシー希釈物の混合物の形態である請求項１に記載の医薬組成物。
【請求項９】
内皮ＮＯ合成酵素に対する活性化増強型抗体が、固体担体に浸透させたＣ１２、Ｃ３０、及びＣ２００ホメオパシー希釈物の混合物の形態であり、且つ脳特異的タンパク質Ｓ−１００に対する活性化増強型抗体が、前記固体担体に浸透させたＣ１２、Ｃ３０、及びＣ２００ホメオパシー希釈物の混合物の形態である請求項１に記載の医薬組成物。
【請求項１０】
活性化増強型抗体が、希釈するごとに振盪しながら連続的に１００倍希釈することにより調製される請求項１から９のいずれかに記載の医薬組成物。
【請求項１１】
医薬組成物が、１つから２つの単位剤形で投与され、前記剤形のそれぞれが１日間に１回から１日間に６回投与される請求項１から９のいずれかに記載の医薬組成物。
【請求項１２】
医薬組成物が、１つから２つの単位剤形で投与され、前記剤形のそれぞれが１日間に２回投与される請求項１１に記載の医薬組成物。
【請求項１３】
ＭＭＳＥスコアの上昇によって示される認知機能の改善に使用するための請求項１から９のいずれかに記載の医薬組成物。
【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
注意欠陥多動性障害に罹っている患者の治療に使用するための医薬組成物であって、ホメオパシーの技術に従って、連続して繰り返し希釈し、得られた溶液をそれぞれ多数回振盪することによってそれぞれ調製されるａ）脳特異的タンパク質Ｓ−１００に対する活性化増強型抗体及びｂ）内皮ＮＯ合成酵素に対する活性化増強型抗体の増強溶液を提供し、次いで、混合することによって前記増強溶液を組み合わせるか、あるいは、担体塊に組み合わせた前記増強溶液を浸透させるか又は前記増強溶液を別々に浸透させることによって得られることを特徴とする医薬組成物。
【請求項２】
脳特異的タンパク質Ｓ−１００に対する活性化増強型抗体が、ウシの脳特異的タンパク質Ｓ−１００全体に対する活性化増強型抗体である請求項１に記載の医薬組成物。
【請求項３】
脳特異的タンパク質Ｓ−１００に対する活性化増強型抗体が、配列番号９、配列番号１０、配列番号１１、又は配列番号１２を有する脳特異的タンパク質Ｓ−１００に対する活性化増強型抗体である請求項１に記載の医薬組成物。
【請求項４】
内皮ＮＯ合成酵素に対する活性化増強型抗体が、ウシ内皮ＮＯ合成酵素全体に対する活性化増強型抗体である請求項１に記載の医薬組成物。
【請求項５】
内皮ＮＯ合成酵素に対する活性化増強型抗体が、ヒトＮＯ合成酵素全体に対する活性化増強型抗体である請求項１に記載の医薬組成物。
【請求項６】
脳特異的タンパク質Ｓ−１００に対する活性化増強型抗体が、固体担体に浸透させたＣ１２、Ｃ３０、及びＣ５０ホメオパシー希釈物の混合物の形態であり、且つ内皮ＮＯ合成酵素に対する活性化増強型抗体が、前記固体担体に浸透させたＣ１２、Ｃ３０、及びＣ５０ホメオパシー希釈物の混合物の形態である請求項１に記載の医薬組成物。
【請求項７】
脳特異的タンパク質Ｓ−１００に対する活性化増強型抗体が、固体担体に浸透させたＣ１２、Ｃ３０、及びＣ２００ホメオパシー希釈物の混合物の形態であり、且つ内皮ＮＯ合成酵素に対する活性化増強型抗体が、前記固体担体に浸透させたＣ１２、Ｃ３０、及びＣ２００ホメオパシー希釈物の混合物の形態である請求項１に記載の医薬組成物。
【請求項８】
内皮ＮＯ合成酵素に対する活性化増強型抗体が、固体担体に浸透させたＣ１２、Ｃ３０、及びＣ５０ホメオパシー希釈物の混合物の形態であり、且つ脳特異的タンパク質Ｓ−１００に対する活性化増強型抗体が、前記固体担体に浸透させたＣ１２、Ｃ３０、及びＣ５０ホメオパシー希釈物の混合物の形態である請求項１に記載の医薬組成物。
【請求項９】
内皮ＮＯ合成酵素に対する活性化増強型抗体が、固体担体に浸透させたＣ１２、Ｃ３０、及びＣ２００ホメオパシー希釈物の混合物の形態であり、且つ脳特異的タンパク質Ｓ−１００に対する活性化増強型抗体が、前記固体担体に浸透させたＣ１２、Ｃ３０、及びＣ２００ホメオパシー希釈物の混合物の形態である請求項１に記載の医薬組成物。
【請求項１０】
医薬組成物が、１つから２つの単位剤形で投与され、前記剤形のそれぞれが１日間に１回から１日間に４回投与される請求項１から９のいずれかに記載の医薬組成物。
【請求項１１】
医薬組成物が、１つから２つの単位剤形で投与され、前記剤形のそれぞれが１日間に２回投与される請求項１０に記載の医薬組成物。
【請求項１２】
注意欠陥多動性障害が、ＡＤＨＤＲＳ−ＩＶ家庭版試験によって測定される請求項１から９のいずれかに記載の医薬組成物。
【請求項１３】
注意欠陥多動性障害が、ＣＧＩ−ＡＤＨＤ重篤度試験によって測定される請求項１から９のいずれかに記載の医薬組成物。
【請求項１４】
患者が、１２歳未満の小児である請求項１から９のいずれかに記載の医薬組成物。
【手続補正書】
【提出日】平成26年7月17日(2014.7.17)
【手続補正１】
【補正対象書類名】特許請求の範囲
【補正対象項目名】全文
【補正方法】変更
【補正の内容】
【特許請求の範囲】
【請求項１】
治療上有効な量の式(I):
【化１】
2013535487.tif 000001
の化合物もしくはその医薬的に許容される塩;治療上有効な量の式(II):
【化２】
2013535487.tif 000002
の化合物もしくはその医薬的に許容される塩;治療上有効な量のHCVポリメラーゼの機能を阻害するのに有効な化合物;および、医薬的に許容される担体を含有する、HCV感染症を処置するための医薬組成物。
【請求項２】
HCVポリメラーゼの機能を阻害するのに有効な該化合物が、PSI-6130、PF-00868554、ANA-598、IDX-375、IDX-184、INX-189、BI-207127、PSI-7851、PSI-938、PSI-879、VCH-759、VCH-916、VCH-222、BMS-929075、GS-9190、ABT-333、またはABT-072から選択される、請求項１に記載の医薬組成物。
【請求項３】
治療上有効な量の式(I):
【化３】
2013535487.tif 000003
の化合物もしくはその医薬的に許容される塩;治療上有効な量の式(II):
【化４】
2013535487.tif 000004
の化合物もしくはその医薬的に許容される塩;治療上有効な量の式(III):
【化５】
2013535487.tif 000005
の化合物もしくはその医薬的に許容される塩;および、医薬的に許容される担体を含有する、HCV感染症を処置するための医薬組成物。
【請求項４】
式(I)の化合物もしくはその医薬的に許容される塩：式(II)の化合物もしくはその医薬的に許容される塩：式(III)の化合物もしくはその医薬的に許容される塩のモル比が、1:20:5である、請求項３に記載の医薬組成物。
【請求項５】
式(I)の化合物もしくはその医薬的に許容される塩：式(II)の化合物もしくはその医薬的に許容される塩：式(III)の化合物もしくはその医薬的に許容される塩のモル比が、1:250:1000である、請求項３に記載の医薬組成物。
【請求項６】
適宜、1つ以上の他の抗HCV活性化合物をさらに含有する、請求項１〜５のいずれか一項に記載の医薬組成物。
【請求項７】
治療上有効な量の式(I):
【化６】
2013535487.tif 000006
の化合物もしくはその医薬的に許容される塩;治療上有効な量の式(II):
【化７】
2013535487.tif 000007
の化合物もしくはその医薬的に許容される塩;および治療上有効な量のHCVポリメラーゼの機能を阻害するのに有効な化合物を組み合わせて含むHCV感染症を処置するための剤であって、これらの化合物もしくは塩を互いに一緒にまたは別個に投与することを含む、該剤。
【請求項８】
HCVポリメラーゼの機能を阻害するのに有効な該化合物が、PSI-6130、PF-00868554、ANA-598、IDX-375、IDX-184、INX-189、BI-207127、PSI-7851、PSI-938、PSI-879、VCH-759、VCH-916、VCH-222、BMS-929075、GS-9190、ABT-333、またはABT-072から選択される、請求項７に記載の剤。
【請求項９】
治療上有効な量の式(I):
【化８】
2013535487.tif 000008
の化合物もしくはその医薬的に許容される塩;治療上有効な量の式(II):
【化９】
2013535487.tif 000009
の化合物もしくはその医薬的に許容される塩;および治療上有効な量の式(III):
【化１０】
2013535487.tif 000010
の化合物もしくはその医薬的に許容される塩を組み合わせて含むHCV感染症を処置するための剤であって、これらの化合物もしくは塩を互いに一緒にまたは別個に投与することを含む、該剤。
【請求項１０】
式(I)の化合物もしくはその医薬的に許容される塩：式(II)の化合物もしくはその医薬的に許容される塩：式(III)の化合物もしくはその医薬的に許容される塩のモル比が、1:20:5である、請求項９に記載の剤。
【請求項１１】
式(I)の化合物もしくはその医薬的に許容される塩：式(II)の化合物もしくはその医薬的に許容される塩：式(III)の化合物もしくはその医薬的に許容される塩のモル比が、1:250:1000である、請求項９に記載の剤。
【請求項１２】
適宜、1つ以上の他の抗HCV活性化合物をさらに含有し得る、該式(I)の化合物もしくはその医薬的に許容される塩、式(II)の化合物もしくはその医薬的に許容される塩、および治療上有効な量のHCVポリメラーゼの機能を阻害するのに有効な化合物もしくは式(III)の化合物もしくはその医薬的に許容される塩、ならびに該他の抗HCV活性化合物を、互いに一緒にまたは別個に投与することを含む、請求項７〜１１のいずれか一項に記載の剤。
【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
Ｐ２４タンパク質の産生を阻害するか又は排出を促進するための医薬組成物であって、ＣＤ４受容体に対する活性化増強型抗体を含むことを特徴とする医薬組成物。
【請求項２】
ＣＤ４受容体に対する活性化増強型抗体が、配列番号１のＣＤ４受容体全体に対する活性化増強型抗体である請求項１に記載の医薬組成物。
【請求項３】
ＣＤ４受容体に対する活性化増強型抗体が、配列番号２、配列番号３、配列番号４、配列番号５、配列番号６からなる群より選択される配列を有するＣＤ４受容体の断片に対する活性化増強型抗体である請求項１に記載の医薬組成物。
【請求項４】
ＣＤ４受容体に対する活性化増強型抗体が、希釈するごとに振盪しながら連続的に１００倍希釈することにより調製される請求項１に記載の組み合わせ医薬組成物。
【請求項５】
ＣＤ４受容体に対する活性化増強型抗体が、固体担体に浸透しているＣ１２、Ｃ３０、及びＣ５０のホメオパシー希釈物の混合物の形態である請求項１に記載の組み合わせ医薬組成物。
【請求項６】
ＣＤ４受容体に対する活性化増強型抗体が、固体担体に浸透しているＣ１２、Ｃ３０、及びＣ２００のホメオパシー希釈物の混合物の形態である請求項１に記載の組み合わせ医薬組成物。
【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
以下の配合：約０．０３％ｗ／ｖビマトプロスト；約０．５％チモロール；約０．２６８％ｗ／ｖ二塩基性リン酸ナトリウム五水和物；約０．０１４％クエン酸一水和物；約０．６８％塩化ナトリウム；水を含み、約７．３のｐＨを有する、患者における眼内圧を降下させる防腐剤無添加ビマトプロストおよびチモロール組成物。
【請求項２】
以下の配合：０．０３％ｗ／ｖビマトプロスト；０．５％チモロール；０．２６８％ｗ／ｖ二塩基性リン酸ナトリウム五水和物；０．０１４％クエン酸一水和物；約０．６８％塩化ナトリウム；水を含み、約７．３のｐＨを有する、患者における眼内圧を降下させる請求項１に記載の防腐剤無添加ビマトプロストおよびチモロール組成物。
【請求項３】
チモロールが、０．６８％ｗ／ｖのマレイン酸チモロールである、請求項２に記載の防腐剤無添加ビマトプロストおよびチモロール溶液。
【請求項４】
表１に記載されている組成物。
【請求項５】
溶液であり、緑内障を処置するのに有用である、請求項１に記載のビマトプロストおよびチモロール組成物。
【請求項６】
単位用量キットの剤型に含有される、請求項１に記載のビマトプロストおよびチモロール組成物。
【請求項７】
それぞれの目に１日１回適用される、請求項１に記載のビマトプロストおよびチモロール組成物。
【請求項８】
それぞれの目に１日２回適用される、請求項１に記載のビマトプロストおよびチモロール組成物。
【請求項９】
塩化ベンザルコニウムで保存されたビマトプロストおよびチモロールよりも、患者の目におけるビマトプロストおよびチモロールの眼内圧（ＩＯＰ）降下における効果が大きく、副作用が少ない、請求項１〜８のいずれか一項に記載のビマトプロストおよびチモロール組成物。
【請求項１０】
単位用量バイアルに含有される溶液である、請求項１〜８のいずれか一項に記載のビマトプロストおよびチモロール組成物。
【手続補正書】
【提出日】平成26年3月19日(2014.3.19)
【手続補正１】
【補正対象書類名】特許請求の範囲
【補正対象項目名】全文
【補正方法】変更
【補正の内容】
【特許請求の範囲】
【請求項１】
非分枝状の多価不飽和Ｃ4炭化水素及び分枝状の多価不飽和Ｃ5炭化水素を炭化水素混合物において水素及び一酸化炭素の添加下でかつ水素化反応器中の不均一系水素化触媒の使用下で選択的に水素化するための方法において、水素化反応器への供給流の体積と水素化触媒の体積との比が滞留時間１時間あたり最大３０ｌ／ｌｈであることを特徴とする方法。
【請求項２】
水素化反応器への供給流の体積と水素化触媒の体積との比が滞留時間１時間あたり１０〜２５ｌ／（ｌｈ）であることを特徴とする請求項１記載の方法。
【請求項３】
供給流中の一酸化炭素の含有量が、炭化水素混合物の質量に対して０．０５〜２０ｐｐｍであることを特徴とする請求項１又は２記載の方法。
【請求項４】
不均一系水素化触媒がパラジウム触媒であることを特徴とする請求項１から３のいずれか１項記載の方法。
【請求項５】
水素化反応器への供給流の入口温度が０〜１００℃であることを特徴とする請求項１から４のいずれか１項記載の方法。
【請求項６】
液相法として行うことを特徴とする請求項１から５のいずれか１項記載の方法。
【手続補正書】
【提出日】平成26年8月5日(2014.8.5)
【手続補正１】
【補正対象書類名】特許請求の範囲
【補正対象項目名】全文
【補正方法】変更
【補正の内容】
【特許請求の範囲】
【請求項１】
スタンナン又は重水素化スタンナンの合成方法であり、前記方法は：
ハロゲン化第二スズを冷却溶媒中に溶解して低温度溶液を形成するステップ；
還元剤及び溶媒との混合物を形成するステップ；
前記還元剤溶媒混合物を冷却するステップ；
前記ハロゲン化第二スズ溶液をゆっくりと添加し、かつ前記溶媒中の還元剤へ添加している間にも前記スズハロゲン化物溶液及び前記還元剤混合物の冷却を続けながら、それにより反応混合物を形成するステップ；
反応生成物を形成するステップ；
前記ハロゲン化第二スズ溶液の添加の間に前記反応混合物から反応生成物を取り出すステップ；
すべてのハロゲン化第二スズ溶液が添加され、反応生成物の形成が完了した後に反応生成物を取り出すステップ；及び
前記反応生成物を１以上の冷却トラップに収集するステップ；
を含み、前記還元剤が、水素化リチウムアルミニウム又は重水素化リチウムアルミニウムから選択され、前記少なくとも１つの１以上の冷却トラップの温度が、前記反応生成物の沸点よりも低い、方法。
【請求項２】
前記還元剤が、水素化リチウムアルミニウムであり、反応生成物がスタンナンである、請求項１に記載の方法。
【請求項３】
前記還元剤が重水素化リチウムアルミニウムであり、生成物が重水素化スタンナンである、請求項１に記載の方法。
【請求項４】
前記ハロゲン化第二スズが、第二スズフッ化物、第二スズ塩化物、第二スズ臭化物、及び第二スズヨウ化物からなる群から選択される、請求項１に記載の方法。
【請求項５】
前記還元剤が、前記ハロゲン化第二スズを水素化するために必要な量の、化学量論量から約５０％過剰の量で存在する、請求項１に記載の方法。
【請求項６】
ハロゲン化第二スズが、約０℃から前記溶媒の融点までの温度で溶解する、請求項１に記載の方法。
【請求項７】
前記還元剤溶媒混合物が、約０℃から前記溶媒の融点までの温度に冷却される、請求項１に記載の方法。
【請求項８】
前記ハロゲン化第二スズを前記還元剤混合物に添加して前記反応混合物を形成するステップが、真空下で実施される、請求項１に記載の方法。
【請求項９】
前記ハロゲン化第二スズが、約０℃から約−６４℃の温度で溶媒に溶解する、請求項１に記載の方法。
【請求項１０】
前記ハロゲン化第二スズ添加の際の前記反応混合物の温度が、約０℃から約−７０℃である、請求項１に記載の方法。
【請求項１１】
前記反応混合物温度が、前記ハロゲン化第二スズの前記還元剤への添加が完了した後、約２０℃へ上げることができる、請求項１に記載の方法。
【請求項１２】
前記反応混合物が、連続的に撹拌される、請求項１に記載の方法。
【請求項１３】
前記ハロゲン化第二スズ溶液が、溶媒中の前記還元剤に、全てのハロゲン化第二スズ溶液が、約３０分から約１時間で添加されるように一定の速度で添加される、請求項１に記載の方法。
【請求項１４】
前記ハロゲン化第二スズが、溶媒中の前記還元剤に、約３０分から約１時間で徐々に添加される、請求項１に記載の方法。
【請求項１５】
前記ハロゲン化第二スズ溶液が、約０．１分から約５分の間隔で、約３０分から約１時間のわたり、徐々に添加される、請求項１に記載の方法。
【請求項１６】
前記溶媒が多座溶媒である、請求項１に記載の方法。
【請求項１７】
前記溶媒は、モノグライム、ジグライム、トリグライム、テトラグライム、クラウンエーテル及びこれらの混合物からなる群から選択される、請求項１に記載の方法。
【請求項１８】
前記溶媒はジグライムである、請求項１に記載の方法。
【請求項１９】
前記１以上の冷却トラップが、静的トラップである、請求項１に記載の方法。
【請求項２０】
前記１以上の冷却トラップが、フロースルートラップである、請求項１に記載の方法。
【請求項２１】
前記１以上の冷却トラップ少なくとも１つが、前記反応生成物の融点よりも低い温度である、請求項１に記載の方法。
【請求項２２】
前記１以上の冷却トラップ少なくとも１つが、約−１９０℃の温度である、請求項１に記載の方法。
【請求項２３】
１以上の冷却トラップがあり、その最後のトラップの温度が、約−１９０℃である、請求項１に記載の方法。
【請求項２４】
前記１以上の冷却トラップがあり、その第１の冷却トラップの温度が約−６０℃から約−８０℃である、請求項１に記載の方法。
【請求項２５】
前記反応生成物が、連続的に、又はある間隔で取り出される、請求項１に記載の方法。
【請求項２６】
前記反応生成物が、約５分の間隔で取り出される、請求項１に記載の方法。
【請求項２７】
前記反応生成物が、前記最後の冷却トラップの出口から吸引される真空の補助により取り出される、請求項１に記載の方法。